(57)【要約】【課題】  ウエハータンブラーシステムのための単純でかつコスト効率の高い鍵替え可能錠および鍵替え方法を提供する。【解決手段】  鍵替え可能錠および鍵替え方法である。この錠はロックおよびアンロック位置を備えかつハウジングおよびハウジング内で回転可能に支持されているシリンダーを備えている。この錠はシリンダー内に形成されている対応するチャンネル内に弾性的に支持されたウエハータンブラーを備えている。各ウエハータンブラーは第１および第２係合位置でベース要素と選択的に係合されるライダー要素を備え、上記第１係合位置は第１キーに対応しかつ第２係合位置は第２キーに対応している。またこの錠は鍵替えツールのような鍵替え機構を備えており、上記ツールは錠がアンロック位置にある時ライダー要素を第１係合位置にある対応するベース要素から解放しかつライダー要素を第２係合位置にあるベース要素に対して再係合させるように鍵替えスロット内に挿入される。【選択図】図１
2005171753.tif 000002
【特許請求の範囲】
【請求項１】
鍵替え可能錠であって：
ハウジング内にロック位置およびアンロック位置の間で回転可能に支持されているシリンダーであって、上記シリンダーが長手方向スロットおよび横断チャンネルを備えているシリンダー；
ウエハータンブラーを備えているロッキング機構であって、上記ウエハータンブラーが上記横断チャンネル内に弾性的に支持されかつ上記ウエハータンブラーが上記ハウジングに係合する係合位置と上記ハウジングを解放する解放位置の間に位置決め可能であり、上記ウエハータンブラーが上記長手方向スロットと少なくとも部分的に整列するように形成された開口を有するベース要素、上記横断チャンネル内で上記ベース要素に対して位置決め可能のライダー要素、およびライダー要素と一体であり上記ベース要素が上記ライダー要素に結合された第１位置と上記ベース要素が上記ライダー要素から解放された第２位置の間に位置決め可能であるカップリング要素を備えているロッキング機構；および
鍵替え機構であって上記シリンダーが上記アンロック位置にあり上記カップリング要素を上記第１位置から上記第２位置へ動かして上記ベース要素に対して上記ライダー要素の位置を変え錠が鍵替えされるように作動可能である鍵替え機構とを包含している、鍵替え可能錠。
【請求項２】
上記カップリング要素が上記ベース要素および上記ライダー要素を結合するように付勢する可撓性要素を包含し、上記可撓性要素が上記ベース要素および上記ライダー要素を解放するために偏向可能である、請求項１に記載の錠。
【請求項３】
上記ライダー要素が上記ベース要素内の複数の係合構造に選択的に係合し、上記複数の係合構造の各々が合い形サイズに対応している、請求項２に記載の錠。
【請求項４】
上記複数の係合構造の各々がタブを包含している、請求項３に記載の錠。
【請求項５】
上記複数の係合構造の各々がスロットを包含している、請求項３に記載の錠。
【請求項６】
上記ベース要素が第１ボデー部分およびそこから延びる１対の脚部を包含し、上記１対の脚部が上記横断チャンネルの結合部分内に受け入れられている、請求項１に記載の錠。
【請求項７】
更に上記横断チャンネルの上記結合部分内に配置されかつ上記１対の脚部に係合して上記ロッキング機構を上記係合位置へ付勢する１対のスプリングを包含している、請求項６に記載の錠。
【請求項８】
上記ライダー要素が第２ボデー部分から延びる１対のアームを包含し、上記１対のアームがそれらの間に上記第１ボデー部分を捕獲している、請求項６に記載の錠。
【請求項９】
上記ロッキング機構が更に複数のウエハータンブラーを包含し、上記複数のウエハータンブラーの各々が上記シリンダー内に形成されている複数の横断チャンネルのひとつ内に弾性的に支持されている、請求項１に記載の錠。
【請求項１０】
鍵替え可能錠であって：
ハウジング内にロック位置およびアンロック位置の間で回転可能に支持されているシリンダーであって、上記シリンダーが長手方向スロット、横断チャンネルの第１セットおよび横断チャンネルの上記第１セットの反対側に組み合わされた横断チャンネルの第２セットを備えているシリンダー；
ロッキング機構が：
ウエハータンブラーの第１セットであって横断チャンネルの上記第１セット内に弾性的に支持されかつその中でウエハータンブラーの上記第１セットが上記ハウジングに係合する係合位置およびウエハータンブラーの上記第１セットが上記ハウジングに非係合する解放位置の間に位置決め可能である第１セット；および
ウエハータンブラーの第２セットであって横断チャンネルの上記第２セット内に弾性的に支持されかつその中でウエハータンブラーの上記第２セットが上記ハウジングに係合する係合位置およびウエハータンブラーの上記第２セットが上記ハウジングに非係合する解放位置の間に位置決め可能である第２セット
を備え；
ウエハータンブラーの上記第１および第２セットの各ウエハータンブラーが
それを通して形成され少なくとも部分的に上記長手方向スロットと整合する開口を有するベース要素、上記横断チャンネル内で上記ベース要素に対して位置決め可能なライダー要素およびライダー要素と一体でありかつ上記ベース要素が上記ライダー要素に結合されている第１位置および上記ベース要素が上記ライダー要素から解放されている第２位置の間で位置決め可能なカップリング要素；および
鍵替え機構であって上記シリンダーが上記アンロック位置にあり上記カップリング要素を上記第１位置から上記第２位置へ動かして上記ベース要素に対して上記ライダー要素の位置を変え錠が鍵替えされるように作動可能である鍵替え機構とを包含している、鍵替え可能錠。
【請求項１１】
上記カップリング要素が上記ベース要素および上記ライダー要素を連結するように付勢されている可撓性要素を包含し、上記可撓性要素が上記ベース要素および上記ライダー要素を解放するように偏向可能である、請求項１０に記載の錠。
【請求項１２】
上記ライダー要素が上記ベース要素内の複数の係合構造と選択的に係合し、上記複数の係合構造の各々が合い形のサイズに対応している、請求項１１に記載の錠。
【請求項１３】
上記複数の係合構造の各々がタブを包含している、請求項１２に記載の錠。
【請求項１４】
上記複数の係合構造の各々がスロットを包含している、請求項１２に記載の錠。
【請求項１５】
上記ベース要素が第１ボデー部分およびそこから延びる１対の脚部を包含し、上記１対の脚部が上記横断チャンネルの結合部分内に受け入れられている、請求項１０に記載の錠。
【請求項１６】
更に上記横断チャンネルの上記結合部分内に配置されかつ上記１対の脚部に係合して上記ロッキング機構を上記係合位置へ付勢する１対のスプリングを包含している、請求項１５に記載の錠。
【請求項１７】
上記ライダー要素が第２ボデー部分から延びる１対のアームを包含し、上記１対のアームがそれらの間に上記第１ボデー部分を捕獲している、請求項１５に記載の錠。
【請求項１８】
鍵替え可能錠であって：
ハウジング内に回転可能に支持されているシリンダーであって、上記シリンダーが長手方向キースロットおよび複数の横断チャンネルを備えており；
アンロック位置およびロック位置の間で位置決め可能なロッキング機構であって、上記ロッキング機構が上記複数の横断チャンネルの対応するひとつ内に弾性的に支持されている複数のウエハータンブラーを備え、上記複数のウエハータンブラーの各々がベース要素と第１キーに対応する第１係合位置および第２キーに対応する第２係合位置で選択的に係合可能なライダー要素を備え；および
長手方向キースロットから対中心偏倚した鍵替えスロット内に挿入可能な鍵替えツールであって、この鍵替えツールは上記ロッキング機構が上記アンロック位置で上記第１係合位置の各ベース要素から各ライダー要素を解放しかつ上記第２係合位置で各ベース要素へ各ライダー要素を係合するように作動可能である鍵替えツールを包含している、鍵替え可能錠。
【請求項１９】
上記複数のウエハータンブラーがウエハータンブラーの第２セットと反対側で組み合わされているウエハータンブラーの第１セットを備えている、請求項１８に記載の錠。
【請求項２０】
上記鍵替えツールがウエハータンブラーの上記第１セットと組み合わされておりかつ第２の鍵替えツールが第２鍵替えスロット内に挿入可能でありかつウエハータンブラーの上記第２セットと組み合わされている、請求項１９に記載の錠。
【請求項２１】
錠の原位置での鍵替え方法であって：
第１キーをロックシリンダーの鍵道内に挿入し；
上記ロックシリンダーをハウジングに対して上記第１キーで回して錠を学習位置へ配置し；
鍵替えツールを上記ロックシリンダーの鍵替えスロット内へ挿入し、上記鍵替えスロットは上記鍵道から対中心偏倚しており；
ウエハータンブラーの第１要素を上記ウエハータンブラーの第２要素から解放し；
上記第１要素が上記第２要素に対して置き替えられるように上記第１キーを第２キーと取り換え；
上記第１要素をウエハータンブラーの上記第２要素と結合し；
上記ロックシリンダーをロック位置へ上記第２キーで回し；かつ
上記第２キーを取り外す工程を包含している、鍵替え方法。
【請求項２２】
結合は上記第１要素を上記第２要素に対して結合するように上記第１要素と上記第２要素の間に介装された可撓性要素を付勢する工程を含んでいる、請求項２１に記載の方法。
【請求項２３】
解放は上記第１要素を上記第２要素から解放するように上記可撓性要素を偏向させる工程を含んでいる、請求項２２に記載の方法。
【請求項２４】
結合は上記鍵替えツールを上記鍵替えスロットから取り外す工程を含んでいる、請求項２３に記載の方法。
【請求項２５】
鍵替え可能錠であって：
ハウジング内にロック位置およびアンロック位置の間で回転可能に支持されているシリンダーであって、上記シリンダーが長手方向キースロットおよび横断チャンネルを備えているシリンダー；
ウエハータンブラーを備えているロッキング機構であって、上記ウエハータンブラーが上記横断チャンネル内に弾性的に支持されかつ上記ウエハータンブラーが上記ハウジングに係合する係合位置と上記ハウジングを解放する解放位置の間に位置決め可能であり、上記ウエハータンブラーが上記長手方向スロットと少なくとも部分的に整列するように形成された開口を有するベース要素、上記横断チャンネル内で上記ベース要素に対して位置決め可能なライダー要素、および上記ベース要素が上記ライダー要素に結合された第１位置と上記ベース要素が上記ライダー要素から解放された第２位置の間に位置決め可能であるカップリング要素を備えているロッキング機構；および
上記シリンダー内の上記カップリング要素と上記ベース要素の間に上記カップリング要素を偏向させるように形成された鍵替えスロット内へ挿入可能な取り外し可能な鍵替えツールであって、この鍵替えツールは上記シリンダーが上記アンロック位置にあり上記カップリング要素を上記第１位置から上記第２位置へ動かして上記ベース要素に対して上記ライダー要素の位置を変え錠が鍵替えされるように作動可能である鍵替えツールとを包含している、鍵替え可能錠。
【請求項２６】
上記鍵替えスロットは上記長手方向鍵道から対中心偏倚している、請求項２５に記載の鍵替え錠。
【請求項２７】
鍵替え可能錠であって：
ハウジング内にロック位置およびアンロック位置の間で回転可能に支持されているシリンダーであって、上記シリンダーが長手方向キースロットおよび横断チャンネルを備えているシリンダー；
ウエハータンブラーを備えているロッキング機構であって、上記ウエハータンブラーが上記横断チャンネル内に弾性的に支持されかつ上記ウエハータンブラーが上記ハウジングに係合する係合位置と上記ハウジングを解放する解放位置の間に位置決め可能であり、上記ウエハータンブラーが上記長手方向スロットと少なくとも部分的に整列するように形成された開口を有するベース要素、上記横断チャンネル内で上記ベース要素に対して位置決め可能なライダー要素、および上記ベース要素が上記ライダー要素に結合された第１位置と上記ベース要素が上記ライダー要素から解放された第２位置の間に位置決め可能であるカップリング要素を備え、上記ライダー要素が１対のアームを包含し、上記１対のアームがそれらの間に上記ベース要素のボデー部分を捕獲しているロッキング機構；および
上記シリンダーが上記アンロック位置にあり上記カップリング要素を上記第１位置から上記第２位置へ動かして上記ベース要素に対して上記ライダー要素の位置を変え錠が鍵替えされるように作動可能である鍵替え機構とを包含している、鍵替え可能錠
【請求項２８】
上記ベース要素はそのボデー部分から延びている１対の脚部を包含し、上記１対の脚部は上記横断チャンネルの結合部内に受け入れられている、請求項２７に記載の錠。
【請求項２９】
更に１対のスプリングを包含し、これらのスプリングは上記横断チャンネルの上記結合部内に配置されかつ上記１対の脚部に係合して上記ロッキング機構を上記係合位置へ付勢している、請求項２８に記載の錠。
【請求項３０】
鍵替え可能錠であって：
ハウジング内にロック位置およびアンロック位置の間で回転可能に支持されているシリンダーであって、上記シリンダーが長手方向スロット、横断チャンネルの第１セットおよび横断チャンネルの上記第１セットの反対側に組み合わされた横断チャンネルの第２セットを備えているシリンダー；
ロッキング機構が：
ウエハータンブラーの第１セットであって横断チャンネルの上記第１セット内に弾性的に支持されかつその中でウエハータンブラーの上記第１セットが上記ハウジングに係合する係合位置およびウエハータンブラーの上記第１セットが上記ハウジングに非係合する解放位置の間に位置決め可能である第１セット；および
ウエハータンブラーの第２セットであって横断チャンネルの上記第２セット内に弾性的に支持されかつその中でウエハータンブラーの上記第２セットが上記ハウジングに係合する係合位置およびウエハータンブラーの上記第２セットが上記ハウジングに非係合する解放位置の間に位置決め可能である第２セット
を備えたロッキング機構；
ウエハータンブラーの上記第１および第２セットの各ウエハータンブラーが
それを通して形成され少なくとも部分的に上記長手方向スロットと整合する開口を有するベース要素、上記横断チャンネル内で上記ベース要素に対して位置決め可能なライダー要素および上記ベース要素が上記ライダー要素に結合されている第１位置および上記ベース要素が上記ライダー要素から解放されている第２位置の間で位置決め可能なカップリング要素を備えており、上記ライダー要素が１対のアームを包含し、上記１対のアームがそれらの間に上記ベース要素のボデー部分を捕獲しているカップリング要素；および
鍵替え機構であって上記シリンダーが上記アンロック位置にあり上記カップリング要素を上記第１位置から上記第２位置へ動かして上記ベース要素に対して上記ライダー要素の位置を変え錠が鍵替えされるように作動可能である鍵替え機構とを包含している、鍵替え可能錠。
【請求項３１】
上記ベース要素はそのボデー部分から延びている１対の脚部を包含し、上記１対の脚部は上記横断チャンネルの結合部内に受け入れられている、請求項３０に記載の錠。
【請求項３２】
更に１対のスプリングを包含し、これらのスプリングは上記横断チャンネルの上記結合部内に配置されかつ上記１対の脚部に係合して上記ロッキング機構を上記係合位置へ付勢している、請求項３１に記載の錠。
【請求項３３】
上記鍵替え機構が上記カップリング要素に係合するように上記シリンダー内で上記ウエハータンブラーに対して位置決め可能な鍵替え要素を包含している、請求項１に記載の鍵替え可能錠。
【請求項３４】
上記鍵替え要素が上記可撓性要素を偏向させるために上記シリンダー内に形成された鍵替えスロット内へ挿入可能な鍵替えツールを包含している、請求項３３に記載の錠。
【請求項３５】
上記鍵替えスロットがＴ形である、請求項３４に記載の錠。
【請求項３６】
上記鍵替えツールがテーパー付けされている、請求項３４に記載の錠。
【請求項３７】
上記鍵替え機構が上記カップリング要素に係合するように上記シリンダー内で上記ウエハータンブラーに対して位置決め可能な鍵替え要素を包含している、請求項１０に記載の鍵替え可能錠。
【請求項３８】
上記鍵替え要素が上記可撓性要素を偏向させるように上記シリンダー内に形成された鍵替えスロット内へ挿入可能な鍵替えツールを包含している、請求項３７に記載の錠。
【請求項３９】
上記鍵替えスロットがＴ形である、請求項３８に記載の錠。
【請求項４０】
上記鍵替えツールがテーパー付けされている、請求項３８に記載の錠。
【請求項４１】
上記鍵替え機構が上記カップリング要素に係合するように上記シリンダー内で上記ウエハータンブラーに対して位置決め可能な鍵替え要素を包含している、請求項２７に記載の鍵替え可能錠。
【請求項４２】
上記鍵替え機構が上記カップリング要素に係合するように上記シリンダー内で上記ウエハータンブラーに対して位置決め可能な鍵替え要素を包含している、請求項３０に記載の鍵替え可能錠。
【請求項４３】
鍵替え可能錠であって：
ハウジング内に回転可能に支持されているシリンダーであって、上記シリンダーが長手方向キースロットおよび横断チャンネルを備えているシリンダー；
アンロック位置およびロック位置の間で位置決め可能なロッキング機構であって、上記ロッキング機構が上記横断チャンネル内に弾性的に支持されているウエハータンブラーを備え、上記ウエハータンブラーがベース要素と第１キーに対応する第１係合位置および第２キーに対応する第２係合位置で選択的に係合可能なライダー要素を備えているロッキング機構；および
長手方向キースロットから対中心偏倚しかつ上記ロッキング機構が上記ライダー要素を上記第１係合位置において上記ライダー要素を上記ベース要素から解放しかつ上記ライダー要素を上記第２係合位置において上記ベース要素に係合するアンロック位置にある時に上記ライダー要素に接近するために作動可能である鍵替えスロットを包含している、鍵替え可能錠。
【請求項４４】
上記ロッキング機構が更に複数のウエハータンブラーを包含し、上記複数のウエハータンブラーの各々は上記シリンダー内に形成されている複数の横断チャンネルのひとつ内に弾性的に支持されている、請求項４３に記載の錠。
【請求項４５】
上記複数のウエハータンブラーの各々はウエハータンブラーの第２セットと反対側から組み合わされたウエハータンブラーの第１セットを包含している、請求項４４に記載の錠。
【請求項４６】
上記カップリング要素が上記ベース要素および上記ライダー要素を係合するように付勢する可撓性要素を包含し、上記可撓性要素が上記ベース要素および上記ライダー要素を解放するように偏向可能である、請求項４３に記載の錠。
【請求項４７】
上記ライダー要素は上記ベース要素内の多数の係合構造と選択的に係合し、上記複数の係合構造の各々は合い形のサイズに対応している、請求項４６に記載の錠。
【請求項４８】
上記複数の係合構造の各々はタブを包含している、請求項４７に記載の錠。
【請求項４９】
上記複数の係合構造の各々はスロットを包含している、請求項４７に記載の錠。
【請求項５０】
上記鍵替えスロットはＴ形である、請求項４３に記載の錠。
【請求項５１】
上記ベース要素が第１ボデー部分およびそこから延びる１対の脚部を包含し、上記１対の脚部が上記横断チャンネルの結合部分内に受け入れられている、請求項４３に記載の錠。
【請求項５２】
更に上記横断チャンネルの上記結合部分内に配置されかつ上記１対の脚部に係合して上記ロッキング機構を上記係合位置へ付勢する１対のスプリングを包含している、請求項５１に記載の錠。
【請求項５３】
上記ライダー要素が第２ボデー部分から延びる１対のアームを包含し、上記１対のアームがそれらの間に上記第１ボデー部分を捕獲している、請求項５１に記載の錠。
【請求項５４】
上記鍵替え機構が上記カップリング要素に係合するように上記シリンダー内で上記ウエハータンブラーに対して位置決め可能な鍵替え要素を包含している、請求項４３に記載の鍵替え可能錠。
【請求項５５】
上記鍵替え要素が鍵替えスロット内へ挿入可能な鍵替えツールを包含している、請求項５４に記載の錠。
【請求項５６】
錠の原位置での鍵替え方法であって：
第１キーをロックシリンダーの鍵道内に挿入し；
上記ロックシリンダーをハウジングに対して上記第１キーで回して錠を学習位置へ配置し；
上記ロックシリンダーの鍵替えスロットに接近し、上記鍵替えスロットは上記鍵道から対中心偏倚している；
ウエハータンブラーの第１要素を上記ウエハータンブラーの第２要素から解放し；
上記第１要素が上記第２要素に対して置き替えられるように上記第１キーを第２キーと取り換え；
上記第１要素をウエハータンブラーの上記第２要素と結合し；
上記ロックシリンダーをロック位置へ上記第２キーで回し；かつ
上記第２キーを取り外す工程を包含している、鍵替え方法。
【請求項５７】
結合は上記第１要素を上記第２要素に対して結合するように上記第１要素と上記第２要素の間に介装された可撓性要素を付勢する工程を含んでいる、請求項５６に記載の方法。
【請求項５８】
解放は上記第１要素を上記第２要素から解放するように上記可撓性要素を偏向させる工程を含んでいる、請求項５７に記載の方法。
【請求項５９】
接近は鍵替えツールを鍵替えスロットへ挿入する工程を含んでいる、請求項５６に記載の方法。
【発明の詳細な説明】
【技術分野】
【０００１】
本発明は鍵替え可能錠および鍵替え方法に関する。
【背景技術】
【０００２】
最も一般的な錠はピン筒状シリンダー錠またはウエハータンブラーシリンダー錠である。これらの錠の各々はハウジングまたはシェル内で回転するシリンダーまたはプラグを包含している。ピン筒状錠においては、トップおよびボトムピンタンブラーを収容しているピンホールがシリンダーおよびハウジングの双方を通して横に延び、かつシヤーライン、即ち、シリンダーおよびハウジングの間の境界を横切る。このピンタンブラーはピンホール内を上下にスライドしてロック位置およびアンロック位置を区画する。ピンタンブラーがシヤーラインを横切ると、このピンタンブラーはシリンダーの回転と干渉しかつシリンダーはロック状態に留まる。錠内に正確なキーが挿入されると、キー上の合い形がピンタンブラーに接触しかつ何れのピンもシヤーラインを横切らないようにそれらをピンホール内に強制スライドさせる。錠をアンロックするためにキーによりトルクが掛けられるとシリンダーはそれからハウジング内で回り得る。
【０００３】
ウエハータンブラー錠はシリンダーからハウジングへ延びるチャンネル内で上下にスライドするウエハー形タンブラーを備えている。ウエハータンブラーはスプリング負荷されていてそれらはシリンダー外へかつハウジング内のロックスロット内へ延び得るので、これによりロック位置ではハウジングに対するシリンダーの回転が阻止される。ウエハータンブラーの各々の中心はキーを受け入れるための開口を備えている。正確なキーはウエハータンブラーをロッキングスロット外へ動かし、従ってシリンダーに対して供給されるトルクはハウジング内でシリンダーを回しかつ錠をアンロックする。
【０００４】
オフィスおよびアパートメントビルデイング内で錠の変更または鍵替えのコストを避けまたは減すために、例えば、分解を要しない各種タイプの鍵替え可能錠がピンタンブラー錠のために開発されてきており、例えば米国特許第４，４１２，８５０号（特許文献１）および第５，２３３，８５０号（特許文献２）を参照されたい。ウエハータンブラーシステムのための単純でかつコスト効率の高い鍵替え可能錠が依然として求められている。
【特許文献１】米国特許第４，４１２，８５０号公報
【特許文献２】米国特許第５，２３３，８５０号公報
【特許文献３】米国特許第４，３７６，３８２号公報
【特許文献４】米国特許第５，７６５，４１７号公報
【発明の開示】
【発明が解決しようとする課題】
【０００５】
ウエハータンブラーシステムのための単純でかつコスト効率の高い鍵替え可能錠および鍵替え方法を提供する。
【課題を解決するための手段】
【０００６】
本発明のひとつの実施例は鍵替え可能錠および鍵替え方法を提供する。この錠はロックおよびアンロック位置を備えかつハウジングおよびハウジング内で回転可能に支持されかつ複数のチャンネルを有するシリンダーを備えている。この錠は対応するチャンネル内に弾性的に支持されたウエハータンブラーを備えている。各ウエハータンブラーは第１および第２係合位置でベース要素と選択的に係合されるライダー要素を備え、上記第１係合位置は第１キーに対応しかつ第２係合位置は第２キーに対応している。またこの錠はシリンダーの面上に鍵替えスロットを備えてシリンダーが学習位置にある時鍵替えツールがスロット内に挿入されて第１係合位置で対応するベース要素から各ライダー要素を解放し第２位置でベース要素に対してライダー要素の再係合を可能としている。このようにして、この錠はシリンダーアセンブリーを分解することなく鍵替えされ得る。
【発明の効果】
【０００７】
ウエハータンブラーシステムのための単純でかつコスト効率の高い鍵替え可能錠を提供することが可能となる。
【発明を実施するための最良の形態】
【０００８】
本発明を限定することなく本発明を図解する目的のための図面に関連して、理解されるべきは、通常スキルの熟練工の視野内にありかつ本発明の各種実施例の理解に貢献しない標準的構成要素または特徴は、明確さを増すために図面からは除外されかつ記述されていないことである。更に、認識されるべきは、各種構成要素の表示およびここに“垂直”または“水平”、“右”または“左”、“側部”、“頂部”または“底部”として記述されている方向は特定用途のために与えられた構成要素の特定位置または方向にのみ基づいた相対的な表示である。
【０００９】
図１は本発明による鍵（キー）替え可能錠（ロック）１００の実施例の展開図である。錠１００はハウジング１０４内で回転するシリンダー１０２を備えている。このシリンダー１０２は図２および図４内に最も良く見えるような複数の第１チャンネル１０６を有している。この第１チャンネル１０６はウエハータンブラー（薄片回転金具）１０８の第１セットを受け入れるようにサイズが定められている。各第１ウエハータンブラー１０８はベース要素１１０およびライダー要素１１２を備えている。現在選ばれているように、各ベース要素１１０は開口１１４を有する実質的に平坦な板であり、この開口１１４は鍵１２０が錠１００内に挿入されることを許容している。ひとつの実施例においては、ベース要素１１０は低部１２２を備え、この低部はＵ形でかつ図４内に最も良く見えるように２個の脚部１２４を有している。脚部１２４は対応する第１チャンネル１０６から延びる対応するキャビテイー（結合部分）１２６内に受け入れられ得る。ベース要素１１０は対応する第１チャンネル１０６内に例えば、キャビテイー１２６内に受け入れられている２個のスプリングまたはコイル１２８のような何らかの弾性機構により弾性的に支持されている。このスプリング１２８はベース要素１１０をハウジング１０４側かつキャビテイー１２６から離れて図４内に示されている“ロックされた位置”へ付勢し、その中でシリンダー１０２は後述されるようにハウジング１０４に対して回転不能とされる。
【００１０】
各ベース要素１１０はスロットまたはタブ１３０のような複数の係合構造を備えている。各ライダー要素１１２は対応するベース要素１１０上に支持される開放フレームを備え得る。ライダー要素１１２は頂部１３４、係合アーム１３６、および支持アーム１３８を備えている。係合アーム１３６はタブまたはスロット１３２のような１個またはそれより多い係合構造を備えており、この構造はベース要素１１０の係合構造１３０のひとつと係合可能である。支持アーム１３８はベース要素１１０の部分に接触してライダー要素１１２のために追加の安定性を提供している。ライダー要素１１２の頂部１３４はスプリング負荷されたベース要素１１０によりハウジング１０４内のロッキングスロット１４０内に付勢され、これにより錠１００をロックしかつハウジング１０４に対するシリンダー１０２の回転を阻止している。ロッキングスロット１４０はライダー要素１１２の頂部１３４をロック位置に受け入れるために好適なサイズおよび形状に定められている。
【００１１】
ベース要素１１０の係合スロット１３０はキー１２０内の合い形１３３の標準サイズに対応する間隔に隔てられている。当業界内で良く知られているように、合い形サイズの連続は錠のための適切なキーを決定する。従来は、各合い形サイズは整数により表示されている。例えば７個のウエハータンブラー付きの錠のためには、７個の数の連続がキーのロッキング組み合わせを決定する。例えば、“１２１２１２１”の連続は、サイズ２の３個の合い形およびサイズ１の４個の合い形を備えている。一例として、ライダー要素１１２が１個の係合タブ１３２を備え、かつベース要素１１０が６個の係合スロット１３０を備えている時は、各ウエハータンブラー１０８は６個の異なる合い形の数に対応した６個の位置のひとつを占め得る。ライダー要素１１２が６個の係合スロット１３０のために２個のタブ１３２を備えていると、各ウエハータンブラー１０８は５個の異なる合い形の数に対応した５個の位置のひとつを占め得る。図４内に示されている実施例においては、ライダー要素１１２はベース要素１１０の６個の係合スロット１３０のために３個の係合タブ１３２を備えており、従ってこの実施例のための最初のウエハータンブラー１０８は４個の異なる合い形の数に対応した４個の位置のひとつを占め得る。一般的に、各ウエハータンブラー１０８のために利用される異なる合い形の数は係合タブ１３２が係合スロット１３０内に配置され得る位置の数により決定される。スロットの数Ｎ２がタブの数Ｎ１より大きいと仮定すると、利用され得る位置の数はＮ２−Ｎ１＋１である。
【００１２】
認識されるべきは、係合タブ１３２および係合スロット１３０の形状は図４の実施例内に示されているような矩形である必要はない。湾曲線および直線を含む他の形も使用され得る。更に、係合タブ１３２および係合スロット１３０の配置の相互交換も可能であり、即ち、係合タブ１３２がベース要素１１０内に配置されかつ係合スロット１３０がライダー要素１１２内に配置され得る。スロット１３０と互い違いのタブ１３２の周期的パターンも図４内に示されているように係合アーム１３６およびベース要素１１０の双方内に使用され得る。
【００１３】
現状において好まれているように、係合アーム１３６は端部１４４から延びているフランジ１４２を備えている可撓性要素であり、上記端部１４４はタブ１３２に近接している。フランジ１４２に対して力を掛けることにより、ライダー要素１１２の係合タブ１３２はベース要素１１０の係合スロット１３０から解放されて後述されるように錠１００の鍵替えが許容される。
【００１４】
シリンダー１０２は鍵道１４８および鍵替えスロット１５０を有する面１４６を備えている。鍵替えスロット１５０は鍵替えツール１５２を受け得るようにサイズが定められている。鍵替えツール１５２は長いロッドであり、これは、鍵替えスロット１５０内に挿入された時、フランジ１４２およびベース要素１１０を押して係合アーム１３６を偏向させ、かつこれにより係合タブ１３２を係合スロット１３０外へ強制的に動かす。この鍵替えスロット１５０はオリジナルの正しいキー１２０が鍵道１４８内に挿入されてシリンダー１０２が図５内に示されている位置へ回された時鍵替えツール１５２がフランジ１４２と係合するようにシリンダー１０２に対して配置され得る。このアンロック位置において、各ウエハータンブラー１０８は対応する第１シリンダーチャンネル１０６内に完全に受け入れられることができ、即ち、全ての頂部１３４は、ハウジング１０４に対するシリンダー１０２の回転中に何らの干渉がないように、ハウジング１０４の第１ロッキングスロット１４０から外方へ解放される。
【００１５】
鍵替えスロット１５０は、例えば、Ｔ形断面を備えかつツール１５２もＴ形断面を備え得る。ツール１５２のフランジ１５４はベース要素１１０を押し、一方ツール１５２のウエブ１５６はライダー要素１１２のフランジ１４２を押し、これによりライダー要素１１２をベース要素１１０から解放する。この鍵替えツール１５２は好ましくはその長さに沿いテーパーが付けてありベース要素１１０からのライダー要素１１２の解放を容易にしている。本発明は錠１００から分離され得る鍵替えツールに関連して記述されてきたが、当業者は錠と一体の同様構造が上述された鍵替え機能のために利用され得ることを認識するであろう。
【００１６】
錠１００は以下の手順により鍵替えされる。まず、ライダー要素１１２は第１キー１２０、例えば、オリジナルなアンロッキングキー１２０に対応する第１係合位置内で、図４内に示されているように、ベース要素１１０と係合されている。第１キー１２０が鍵道１４８内に挿入されかつシリンダー１０２は錠１００をアンロックするために図４内に示されているように回され、これにより錠１００を学習モードにする。この状態において、錠１００は鍵替えツール１５２を鍵替えスロット１５０内に挿入してライダー要素１１２の係合アーム１３６がベース要素１１０から解放されることにより鍵替えされ得る状態となる。第１キー１２０は取り外されそれから第２キーが鍵道１４８内に挿入され得る。ツール１５２はそれから取り除かれ、ライダー要素１１２を第２係合位置にあるベース要素１１０に押圧係合させ、上記第２係合位置は第２キーの合い形１３３により決定され、これにより錠１００を第２キーのために鍵替えする。
【００１７】
図面中に図解されているように、錠１００はシリンダー１０２内の対応する第２チャンネル１０６ａ内に受け入れられるウエハータンブラー１０８ａの第２セットを備えている。この第２ウエハータンブラー１０８ａは上述の第１ウエハータンブラー１０８と同様でありかつ従ってそれらの記述は繰り返されないであろう。第１ウエハータンブラー１０８の同様な要素に対応する第２ウエハータンブラー１０８ａの要素は字“ａ”を従えた同じ関連符号により表示されている。例えば、各第２ウエハータンブラー１０８ａはライダー要素１１２ａおよびベース要素１１０ａなどを備え得る。図２内に最も良く見られるように、第２チャンネル１０６ａは第１チャンネル１０６と織り交ぜられかつ第１および第２ウエハータンブラー１０８、１０８ａは係合アーム１３６、１３６ａが錠１００の鍵道１４８に関連して反対側となるように位置が定められている。ひとつの例として、７個の第１ウエハータンブラー１０８および６個の第２ウエハータンブラー１０８ａが図１内に示されている。しかしながら、当業者は与えられた錠内のウエハータンブラーの数および位置が特定用途の要求により変わり得ることは認識するであろう。
【００１８】
第２ウエハータンブラー１０８ａのライダー要素１１２ａは第２鍵替えツール１５２ａを図６および７内に示されているようなアンロック位置にあるシリンダー１０２の面１４６上の第２鍵替えスロット１５０ａに通すことにより対応するベース要素１１０ａから解放される。第２ベース要素１１０ａ上における第２ライダー要素１１２ａの係合位置は説明されておらず、かつ従ってベース要素１１０上におけるライダー要素１１２の係合位置と独立していることは評価されるであろう。従って、アンロッキングキーは対称または非対称の合い形１３３の何れかを備え得る。
【００１９】
ひとつの実施例において、第１および第２ベース要素１１０、１１０ａおよび第１および第２ライダー要素１１２、１１２ａはテーパー付き厚さを備えてキー１２０を第１および第２ベース要素の開口１１４、１１４ａ内への挿入を容易にしかつ、鍵替えツール１５２、１５２ａの対応する鍵替えスロット１５０、１５０ａ内への挿入を容易にしており、これらは図４−７内に最も良く見える。
【００２０】
上の記述から、評価されるべきは、本発明が多用途の、コスト効率の高いかつ便利な鍵替え可能錠１００を提供することである。第１および第２ウエハータンブラー１０８、１０８ａの多くの組み合わせが可能である。係合構造１３０、１３２の多くの連続も入手可能でありかつ各２ウエハータンブラー１０８、１０８ａのために選択され得る。従って、同じ錠１００を分解することなく鍵替えするために非常に多くの新しいキーを提供し得る。
【００２１】
本発明の特定の実施例が発明図解のためにかつ発明の限定を目的とすることなくこれまでに記述されてきたが、当業者により認識されるべきは、部品の詳細、材料および配列の多数の変形が発明の精神から離れることなく発明の原則および範囲内で作られ得るということである。以上の記述は、従って、発明の範囲を制限することを意図してはいない。むしろ発明の範囲は添付請求項およびそれらの均等物によってのみ決定されるべきである。
【００２２】
添付図面において、そこには本発明の実施例が示されており、その中で同様な参照符号は同様な部品を表示するために採用されている。
【図面の簡単な説明】
【００２３】
【図１】本発明による錠（ロック）の実施例の展開斜視図である。
【００２４】
【図２】図１の錠の長手断面の展開斜視図である。
【００２５】
【図３】図１の錠の長手断面の組み立て状態の斜視図である。
【００２６】
【図４】施錠されかつ係合位置にある第１ウエハータンブラー（薄片回転金具）の実施例を示している錠の断面図である。
【００２７】
【図５】非施錠されかつ非係合位置にある図４の第１ウエハータンブラーを示している錠の断面図である。
【００２８】
【図６】施錠されかつ係合位置にある第２ウエハータンブラーの実施例を示している錠の断面図である。
【００２９】
【図７】アンロックされかつ解放位置にある図６の第２ウエハータンブラーを示している錠の断面図である。
【符号の説明】
【００３０】
１００        鍵替え可能錠
１０２        シリンダー
１０４        ハウジング
１０６        第１チャンネル（横断チャンネル）
１０８        ウエハータンブラー
１１０        ベース要素（第２要素）
１１２        ライダー要素
１１４        開口
１２０        キー（鍵）
１２４        脚部
１２６        キャビテイー（結合部分）
１２８        スプリング
１３０        スロット（またはタブ）
１３２        タブ（またはスロット）
１３３        合い形
１３４        頂部（第２ボデー部分）
１３６        係合アーム（カップリング要素）
１４８        鍵道（長手方向スロット）
１５０        鍵替えスロット
１５２        鍵替えツール（鍵替え機構）
【図１】
2005171753.tif 000003
【図２】
2005171753.tif 000004
【図３】
2005171753.tif 000005
【図４】
2005171753.tif 000006
【図５】
2005171753.tif 000007
【図６】
2005171753.tif 000008
【図７】
2005171753.tif 000009